(57)【要約】【課題】大きなサイズの表示部を背面に備える縦横切換撮影の可能なカメラを提供する。【解決手段】  撮像面と表示面のセンタを一致させて撮像部と表示部を一体化させ、一体化される撮像部と表示部を表示面のセンタを中心に回動させるようにする。そして、表示部２０の外形を上記センタを中心にして上下がカットされた小判型の形状に形成して、表示部２０は横撮影位置では本体部１の背後に隠され、90度回動される縦撮影状態では本体部１の上下よりその一部が突出される。【選択図】    図２
2006303712.tif 000002
【特許請求の範囲】
【請求項１】
レンズ部と撮像面が横長の撮像素子が内蔵される撮像部と、
前記撮像部が内蔵される本体部と、
前記撮像部による撮影画像を表示するものであって、前記本体部の背面に配置され、前記撮像素子の撮像面と同等な縦横比率の表示面を有し、前記表示面の裏面には前記撮像部が当該撮像面の長辺が表示面の長辺に平行でかつ当該撮像部の光軸の延長線が該表示面のセンタを通過するような関係に配置されて一体化される表示部と、
前記一体化された撮像部と表示部を該撮像部の光軸を略中心にして前記本体部に対し回動自在にさせる回動部  を備えた
ことを特徴とするカメラ。
【請求項２】
前記一体化された撮像部と表示部は、該表示面長辺が本体部底面に平行な状態である横撮影位置から該表示面長辺が本体部底面に垂直な状態である縦撮影位置まで９０度回動される
ことを特徴とする請求項１記載のカメラ。
【請求項３】
前記表示部の外形は前記表示面の長辺方向に長くかつ前記表示面のセンタを中心とした対象な形状に形成され、
前記本体部の前記表示部が配置される背面部分の形状は、前記横撮影位置にある前記表示部の形状と同一な形状に形成される
ことを特徴とする請求項２記載のカメラ。
【請求項４】
前記表示部が前記縦撮影位置にある場合には、前記表示部の長手方向の一部が本体部の上面と底面から突出する
ことを特徴とする請求項３記載のカメラ。
【請求項５】
前記回動部は前記本体部の背面を保護する背面カバーの内部に前記撮像部を回動可能に支持するための支持部を有する
ことを特徴とする請求項1乃至４いずれか1項記載のカメラ。
【請求項６】
前記本体部の背面には前記表示部が配置される背面に隣接して、操作部材が配置される操作面が設けられる
ことを特徴とする請求項３乃至５いずれか1項記載のカメラ。
【請求項７】
前記表示部の表示面と逆側の面に縦撮影位置で被写体方向に露出されるストロボ窓を備えた
ことを特徴とする請求項２乃至６いずれか1項記載のカメラ。
【発明の詳細な説明】
【技術分野】
【０００１】
本発明は、同一のカメラ姿勢で縦横撮影の切換ができるカメラに関する。
【背景技術】
【０００２】
画像を光電変換する撮像素子の撮像面は4：3や16：9のアスペクト比で構成されるが、この撮像素子は、一般的に長辺が横向きになるようにカメラに搭載されている。従って通常の撮影では横長の画像が撮影され、このような撮影は横撮影と呼ばれる。そして、カメラのボディの形状やカメラの操作系配置は、全て横撮影を基準に構成されている。
【０００３】
一方、被写体には立った人物や背の高い建物等で縦に長いものも少なくないが、これを撮影する時には９０度回動させてカメラを立てて構えた状態で撮影が行われる。通常これは縦撮影とも呼ばれている。しかし、この縦撮影ではどうしても不安定なホールディング姿勢になったりするので、例えば手ブレの原因にもなる。
【０００４】
そこで、カメラ本体の姿勢を変えずに縦撮影にも対応できるカメラが過去色々提案されている。
【０００５】
まず、カメラボディと撮影レンズはそのままで撮影レンズ内部の撮像素子のみを指示に応じてモーターで９０度回動させるカメラが提案されている（特許文献１）。
【０００６】
また、ＣＣＤを含む撮影レンズユニットを縦撮影と横撮影で回動させる操作レバーを備え、さらにカメラ背面に備えられ液晶表示パネルが設けられている回転板をこの撮影レンズユニットの回動に連動して回動させる伝達機構を備えたカメラも提案されている（特許文献２）。
【特許文献１】特開昭58-182965号公報
【特許文献２】特開2000-209469号公報
【発明の開示】
【発明が解決しようとする課題】
【０００７】
上記特許文献２に開示のカメラでは、内部に液晶表示パネルが設けられている回転板を回動させているので搭載できる液晶表示パネルのサイズに制限があり、カメラ背面全体の大きさに比べてかなり小さなサイズの液晶表示パネルしか搭載できない。
【０００８】
一方表示装置の画面サイズは、できるだけ大きい方がユーザーに好まれ商品性も高いために、縦横両撮影のできるカメラでも画面サイズの大きな表示装置を搭載できるようにすることが必要になる。
【０００９】
本発明は、上記課題に鑑みてなされたもので、コンパクトなカメラ形状を維持させて、大型の表示部を撮像部とともに回動させて縦横撮影を切換えのできるカメラを提供することを目的とする。
【課題を解決するための手段】
【００１０】
前述した目的を達成するために、この発明のカメラは、レンズ部と撮像面が横長の撮像素子が内蔵される撮像部と、前記撮像部が内蔵される本体部と、前記撮像部による撮影画像を表示するものであって、前記本体部の背面に配置され、前記撮像素子の撮像面と同等な縦横比率の表示面を有し、前記表示面の裏面には前記撮像部が当該撮像面の長辺が表示面の長辺に平行でかつ当該撮像部の光軸の延長線が該表示面のセンタを通過するような関係に配置されて一体化される表示部と、前記一体化された撮像部と表示部を該撮像部の光軸を略中心にして前記本体部に対し回動自在にさせる回動部  を備えたことを特徴とする。
【００１１】
また、本発明のカメラは、上記に加えてさらに前記表示部の表示面と逆側の面に縦撮影位置で被写体方向に露出されるストロボ窓を備えたことを特徴とする。
【発明の効果】
【００１２】
この発明によれば、コンパクトなカメラの形状を維持させつつ、大型の表示部を撮像部とともに回動させて縦横撮影を切換えのできるカメラを提供することができる。
【発明を実施するための最良の形態】
【００１３】
以下、本発明を実施するための最良の形態を図面を参照しながら説明する。
【実施例１】
【００１４】
図１は本発明をデジタルカメラに適用した例で、本発明の第1の実施例に係るデジタルカメラ（以下カメラと略す）の外観図である。なお、図１はカメラの表示部が横撮影位置にある状態を示す図である。また以下の説明で使用される「正面」および「背面」の用語は撮影される被写体側から見た方向を基準にしている。
【００１５】
図１の（Ａ）は正面図、（Ｂ）は底面図、（Ｃ）は左側面図、（Ｄ）は右側面図、（Ｅ）は上面図、である。そして、（Ｆ）は本カメラを背面から見た状態の背面図である。
カメラは、大きく分けて本体部1とその背面に設けられた表示部３０から構成されている。そして、本体部１はカメラ前面を保護する前カバー１０とカメラ背面を保護する背面カバー２０が前後方向に組み付けられて主に構成される。
【００１６】
本体部１の前面には、前面方向から見て中央やや左よりの位置に撮影用のレンズ窓１１が設けられている。レンズ窓１１の内部に撮像部４０が配置されている。レンズ窓１１の斜め左上には内部にキセノン管を備えるストロボ窓１２が設けられる。レンズ窓１１の斜め右上にはセルフタイマ撮影時に撮影タイミングを表示するＬＥＤを備えたＬＥＤ窓１３が設けられている。また、レンズ窓１１の右横には、集音用のマイク開口１４が設けられている。本体部１の左側部は撮影時にグリップされる部分となるが、グリップのすべり止めを果たす凸部が設けられている。また左側面には内部に備えられる外部機器接続用のコネクタを保護する蓋１５が回動により開閉するように設けられている。
【００１７】
本体部１の上面には、グリップされた手に対応する左側位置に、撮影を指示するレリースボタン１６が設けられている。また、レリースボタン１６の周囲に、レリースボタン１６を中心に水平に回動自在で撮影レンズのズーム比の変更を指示するズームレバー１７がレリースボタン１６と一体的に設けられている。レリースボタン１６の右横にカメラ電源のオンオフを指示するパワーボタン１８が設けられている。
【００１８】
本体部1の背面には、LCD（Liquid Crystal Display）等からなる画像表示装置が内蔵された表示部３０が設けられている（（F)参照）。表示部３０中央の表示面３１には撮影時や再生時にモニター画像や再生画像が表示され、表示面３１は後述する撮像面と同一のアスペクト比（縦横比）例えば４：３を有している。図（Ｆ）に示すように表示部の外形は、表示面３１のセンタＰを中心とする円形が上下で対象にカットされた形状で、左右が曲面で上下が直線である小判の形状になっている。つまり、表示部３０はセンタＰを中心とする対象形でかつ表示面３１の長辺方向（Ｘ方向）に長い扁平な形状となっている。
【００１９】
また表示部３０が取り付け配置される本体部１の背面より見た形状は上述した表示部３０の小判形状と同一形状で形成されている。従って、図（Ｆ）のように表示部３０がその表示面３１の長辺を底面に平行にする状態では、表示部３０が本体部１の周囲から突出することがなく、カメラの上下面や側面に大きな段差が発生せず、携帯時にも支障が出ない状態が確保されている。
【００２０】
そして表示部３０は表示画面３１のセンタＰを中心にして本体部１に対して矢印ｒの方向（時計方向）に９０度回動自在に設けられている。詳細は後述する。
【００２１】
また、本体部１の背面には、表示部３０に隣接する位置であって表示面３１から一段低くなる高さに、操作面である背面部Ｂ２０ａが形成されている。背面部Ｂ２０ａには、メニューボタン２１、ＸＹ操作ボタン２２、切換ボタン２３等の各操作ボタン及びスピーカ開口２４が設けられている。背面部Ｂ２０ａはグリップ部分にもなる。
【００２２】
図２は、図１の状態から撮影者によって表示部３０が時計方向に90度回動されて横撮影から縦撮影状態に切り換えられた状態のカメラの外観を示す図である。図２（Ａ）、（Ｂ）、（Ｃ）、（Ｄ）、（Ｅ）、（Ｆ）は、図1と同様に、それぞれ正面図、底面図、左側面図、右側面図、上面図、背面図を示す。表示部３０は回動されて表示面３１が縦方向に長い向きとなっている（（Ｆ）参照）。そして、横撮影位置では左右方向にあった表示部３０の曲面部分が縦撮影位置では上下に位置するので、この曲面部分が本体部１の上面および底面より突出することになる。そして、撮影者が表示部３０を９０度反時計方向に回動させれば、縦撮影から図１の横撮影の状態に戻すことが出来る。
【００２３】
次に本体部1に対して表示部３０と撮像部４０とを連動して回動させる構造を図３を用いて説明する。図３は、本願発明の表示部３０と撮影レンズ部４０の一体的な回動を実現するための主要部品についてを、前カバー１０と背面カバー２０を分解し、カメラの内部で展開した図である。
【００２４】
概略を簡単に説明すると、表示部３０と一体化された撮像部４０が背面カバー１３に形成された支持部５０と嵌合して回動自在に支持され、支持部５０から光軸方向に突出した撮像部４０の先端部分が、クリック用のバネ５２と中間リング５４を介して抜け止め用の回動リング５５でネジ固定されて、回動構造が成立する。表示部３０と撮像部４０を回動させる回動部６０は、撮影レンズ４０ｂの外周ネジ４０ｂ、支持部５０、バネ５２、中間リング５２、固定リング５３等から構成される。以下詳細を説明する。
【００２５】
表示部３０にはＬＣＤ等からなる不図示の表示装置が内蔵されている。そして、表示部裏面３０ａにはセンタＰを中心にして取付凹部３３が形成されている。取付凹部３３の形状は円形でかつその上下の一部をさらに径方向に張り出させた形状である。また、表示部裏面３０ａには取付凹部３３からさらに横方向に凹部が延長されて形成され、この凹部から表示装置とカメラ本体１の電気部とを電気的に接続する表示用フレキケーブル３４が排出されている。また、表示用フレキケーブル３４の排出位置の上部には、表示部３０の回動位置検出用のピン３３ｂが光軸方向前方に突出して設けられている。
【００２６】
撮像部４０は外形がレンズの光軸Ｓをセンタとする円筒形状に形成されている。撮像部４０の内部には図示しない撮影レンズやレンズ駆動用のモータ等を設けられ、撮像部４０の後端には撮像素子４１が配置されている。撮像素子４１は例えばアスペクト比が４：３の横長である撮像面４１ａを備えた撮像素子である。撮像素子４１はレンズの光軸Ｓに撮像面の中心が一致または略一致するように配置されている。撮像部４０の円筒部分の後端には径方向に突出する取付部４０ａが上下２箇所形成されている。取付部４０ａにはネジ孔が形成されている。撮像部４０の後端近傍の周面からは、カメラ内部の制御部と撮像部４０内部のモータを接続するレンズフレキケーブル４２が排出されている。撮像部４０の円筒部分の前側先端には円筒部分の外周に沿って外周ネジ４０ｂが形成されている。
【００２７】
そして、撮像部４０は、円筒部分の後端と固定部４０ａが表示部背面３０ａの取付凹部３３に装着され、取付部４０ａのネジ孔を通して図示なきネジの締結により、表示部３０に固定される。また、この際に、表示面３１と撮像面４１ａとが、両者の長手方向が平行になって、かつ撮像面４１ａの中心を通過する光軸Ｓの延長上に表示面３１の中心が位置するように取り付けられる。
【００２８】
次に背面カバー２０は、操作部が配置される背面部Ａ２０ａと背面部Ａ２０ａより一段低く形成され表示部３０が配置される背面部Ｂ20ｂとの２つの背面部分と、背面部分に沿って所定の高さで全周に形成される側壁から構成されている。
【００２９】
背面部Ｂ20ｂの内側には、前方に突出され両端とも開口され光軸Ｓを軸中心にする円筒状の支持部５０が形成されている。支持部５０の内径は撮像部４０の円筒部分ががたなく回動支持されるような径に設定されている。支持部５０には円筒の先端から円筒の略中間位置ぐらいまで光軸方向に沿った細長い係合溝５０ａが形成されている。また、背面部Ｂ20ｂには支持部５０の外周に沿ってフレキ用開口５０ｂが所定の角度範囲に渡って円弧状に形成されている。フレキ用開口５０ｂは表示部３０の回動に伴って移動するレンズフレキケーブル４２と表示用フレキケーブル３４とピン３０ｂを通過させるためのものである。
【００３０】
支持部５０の外周につるまき状のばね５２と環状形状の中間リング５４が装填される。中間リング５４の内周には、支持部５０の係合溝部５０ａに係合する係合突出部５４ａが内側に突出するように形成されている。係合突出部５４ａが支持部５０の係合溝部５０ａに係合されて、中間リング５４は支持部５０回りの回動が禁止され光軸方向にのみ移動可能になる。また、中間リング５４の前側端面にはクリック凹部５４ａ、５４ｃが円周方向に９０度間隔で形成されている。
【００３１】
そして、撮像部４０を固定するための回動リング５５は、中間リング５４と同等な径を有し、内周には撮像部４０先端の外周ネジ４０ｂに対応する内周ネジ５５ｂが形成され、中間リング５４に対向する後端側（図で裏側）の面には破線で示すクリック凸部５５ｂが形成されている。
【００３２】
そして、撮像部４０が支持部５０内に挿入嵌合され、支持部５０から突出する撮像部４０の外周ネジ４０ｂに、回動リング５５をばね５２のばね力に対抗して軸方向に押し付けながら、回動リング５５の内周ネジ５５ｂを締結させて、組み立てられる。このときに回動リング５５はクリック凸部５５ａがクリック凹部５４ｂにはまりこむような角度に取り付けられる。
【００３３】
取り付けられた状態では、ばね５２の反発力によって中間リング５４が回動リング５５を光軸方向に押すことで、中間リング５４と回動リング５５間に摩擦力が発生する。この角度（横撮影位置）では凸部５５ａが凹部５４ｂに落ち込んだ位置にあるので、撮像部４０が本体部1に対して安定して横撮影の位置に保持され、遊びやガタもなくなる。また、回動の途中では、凸部５５ａが凹部５４ｂ以外の中間リング５４の平坦な部分に当接しているので、一定の回動負荷が発生する。そして、９０度回動された縦撮影位置では、クリック凸部５４ａがクリック凹部５４ｃに係合して、再び安定して縦撮影の位置に保持される。
【００３４】
また、表示部２０と一体的に回動するピン３３ｂに対応するような位置に、本体部1の内部に不図示の位置センサが備えられ、撮像部４０と表示部３０の相対的な回動位置が検出される。
【００３５】
以上により、表示部の外形の一部が縦撮影時にのみ本体部より突出し、一方横撮影位置では表示部の外形が本体部より突出しないようにしたので、大きなサイズの表示部を回動にさせつつ、通常撮影や携帯時には通常のカメラと同等な形態が確保され、カメラ自体の通常使用や携帯性を阻害することがない。
【００３６】
また、縦撮影位置では、上下から突出させ左右からは突出させないようにしたので縦撮影位置ではカメラをグリップする手の妨げにならない。
【００３７】
また、撮像面の中心と表示面の中心を一致させたので、回動経路を確保するためのカメラ内部のスペースが少なくて済む。
【００３８】
また、撮像部４０と表示部２０を一体化させて横撮影位置から縦撮影位置まで回動させるようにしたので、両者を連動して回動させる伝達機構が不要になりカメラのコンパクト化が実現される。
【実施例２】
【００３９】
図４は本発明の第２の実施例にかかるデジタルカメラの縦撮影状態の外観図で、第1の実施例と同一の構成部分には同一の符号を付してある。なお、横撮影状態の外観図は、実施例１の図１と同じであるので省略する。
【００４０】
図４の（Ａ）は正面図、（Ｂ）は底面図、（Ｃ）は左側面図、（Ｄ）は右側面図、（Ｅ）は上面図、そして（Ｆ）は本カメラを背面方向から見た状態の背面図である。第2の実施例のカメラでは、表示部３０の表示面３１の反対面（裏面）であって、縦撮影状態で上部になる面に第2のストロボ発光窓３２が備えられている。第2のストロボ発光窓３２は、横撮影の状態では背面カバー２０で隠される位置にあり、表示部３０を９０度回動させた縦撮影時に前面側に露出される。
【００４１】
横撮影時には、本体部１に設けられているストロボ窓１２のストロボが使用される。縦撮影時には、第2のストロボ発光窓の方のストロボのみを使用してもよいし、２つのストロボを同時に使用させるようにしても良い。
【００４２】
新たなストロボを設けた理由を説明する。ストロボの発光特性、例えばストロボ内部のキセノン管の形状や反射傘の形状は、撮像面の縦横比に合わせて決定されるので、向きの変わらない一つのストロボで縦横撮影の両方に対応させるのは困難である。そこで、本体側のストロボを横長の発光特性に設定して使用頻度の高い横撮影に使用し、新たな表示部３０のストロボを縦長の発光特性に設定して縦撮影に使用させるようにすれば、解決できるからである。
なお、表示部３０のストロボを被写体の上領域用の補助的な光源として、縦撮影時に単独使用ではなく、2つのストロボを同時に発光させるような使用でもよい。本体部１のストロボだけでは照明不十分な被写体上部を効率的に照明できるようになるからである。
【００４３】
以上により、本実施例では、本体部の構えた向きを変えないで表示部を回動させて縦横切換撮影のできるカメラで、表示部に縦撮影用のストロボを備えたので縦撮影でも十分な照明光量が確保される。
【００４４】
また、上記実施例１または２はカメラとして、デジタルカメラに適用した例を説明してきたが、これに限られるものでなくビデオカメラやカメラ付きの携帯電話のカメラ部へ適用しても当然よい。
【００４５】
さらに、本発明は上記実施例１または２そのままに限定されるものではなく、実施段階でその要旨を逸脱しない範囲で構成要素を変形して具体化できる。また、上記実施例に開示される複数の構成要素の適宜な組み合わせにより、種々の発明を形成できる。例えば、実施例に示される全構成要素から幾つかの構成要素を削除してもよい。さらに、異なる実施例に渡る構成要素を適宜組み合わせてもよい。
（付記）
前記の実施例から、以下のような構成の発明を抽出することができる。
（１）レンズ部と撮像面４１ａが横長の撮像素子４１が内蔵される撮像部４０と、
前記撮像部が内蔵される本体部１と、
前記撮像部による撮影画像を表示するものであって、前記本体部の背面に配置され、前記撮像素子の撮像面と同等な縦横比率の表示面３１を有し、前記表示面の裏面には前記撮像部が当該撮像面の長辺が表示面の長辺に平行でかつ当該撮像部の光軸の延長線が該表示面のセンタを通過するような関係に配置されて一体化される表示部３０と、
前記一体化された撮像部と表示部を該撮像部の光軸を略中心にして前記本体部に対し回動自在にさせる回動部６０  を備えた
ことを特徴とするカメラ。
（作用効果）大きなサイズの表示部を背面に備えるカメラで撮影向きの切換ができる。
（２）前記一体化された撮像部と表示部は、該表示面長辺が本体部底面に平行な状態である横撮影位置から該表示面長辺が本体部底面に垂直な状態である縦撮影位置まで９０度回動される
ことを特徴とする上記（１）記載のカメラ。
（作用効果）簡単に縦横切換撮影ができる。
（３）前記表示部の外形は前記表示面の長辺方向に長くかつ前記表示面のセンタを中心とした対象な形状に形成され、
前記本体部の前記表示部が配置される背面部分の形状は、前記横撮影位置にある前記表示部の形状と同一な形状に形成される
ことを特徴とする上記（２）記載のカメラ。
（作用効果）横撮影位置にしておけばカメラの携帯性が確保される。
（４）前記表示部が前記縦撮影位置にある場合には、前記表示部の長手方向の一部が本体部の上面と底面から突出する
ことを特徴とする上記（３）記載のカメラ。
（作用効果）上下から突出させるので撮影グリップの妨げにならない。
（５）前記回動部は前記本体部の背面を保護する背面カバーの内部に前記撮像部を回動可能に支持するための支持部を有する
ことを特徴とする上記（1）乃至（４）いずれか1つに記載のカメラ。
（作用効果）部品点数の削減や組立て精度の確保が図られる。
（６）前記本体部の背面には前記表示部が配置される背面に隣接して、操作部材が配置される操作面２０ａが設けられる
ことを特徴とする上記（３）乃至（５）いずれか1つに記載のカメラ。
（作用効果）通常のカメラと同様な操作性が確保される。
（７）前記表示部の表示面と逆側の面に縦撮影位置で被写体方向に露出されるストロボ窓３２を備えた
ことを特徴とする上記（２）乃至（６）いずれか1つに記載のカメラ。
（作用効果）縦撮影時に専用ストロボにより適切な照明を行うことができる。
【図面の簡単な説明】
【００４６】
【図１】図１は実施例１に係る本発明のカメラの横撮影位置の外観図である。（Ａ）は正面図、（Ｂ）は底面図、（Ｃ）は左側面、（Ｄ）は右側面図、（Ｅ）は上面図、（Ｆ）は背面図である。
【図２】図２は実施例１に係る本発明のカメラの縦撮影位置の外観図である。（Ａ）は正面図、（Ｂ）は底面図、（Ｃ）は左側面、（Ｄ）は右側面図、（Ｅ）は上面図、（Ｆ）は背面図である。
【図３】図３は実施例１に係る本発明のカメラの回動構造を示す図である。
【図４】図４は実施例２に係る本発明のカメラの縦撮影状態の外観図である。（Ａ）は正面図、（Ｂ）は底面図、（Ｃ）は左側面、（Ｄ）は右側面図、（Ｅ）は上面図、（Ｆ）は背面図である。
【符号の説明】
【００４７】
１…本体部、１０…前カバー、１１…レンズ窓、１２…ストロボ窓、１３…ＬＥＤ窓、
１４…マイク開口、１５…蓋部、１６…レリースボタン、１７…ズームレバー、
１８…パワーボタン、２０…背面カバー、２０ａ…背面部Ａ、２０ｂ…背面部Ｂ、
２１…メニューボタン、２２…ＸＹ操作ボタン、２３…切換ボタン、２４…スピーカ開口、
３０…表示部、３０ａ…表示部背面、３１…表示面、３２…第2のストロボ窓
３３…取付凹部、３3ａ…固定部、３３ｂ…ピン、３４…表示用フレキケーブル
４０…撮像部、４０ａ…取付部、４０ｂ…外周ネジ、
４１…撮像素子、４１ａ…撮像面、４２…レンズフレキケーブル
５０…支持部、５０ａ…係合溝、５０ｂ…フレキ用開口、５２…ばね、５４…中間リング、
５４ａ…係合突出部、５４ｂ、ｃ…クリック凹部、
５５…回動リング、５５ａ…外周ネジ、５５ｂ…クリック凸部、６０…回動部
【図１】
2006303712.tif 000003
【図２】
2006303712.tif 000004
【図３】
2006303712.tif 000005
【図４】
2006303712.tif 000006